(57)【要約】【課題】  従来、取り外した後のコンクリートパネルにはコンクリートの付着や金属が用いられているためリサイクルが画策されていても利用価値が無く、殆どが廃材として破棄されている現状であり、貴重な自然資源の浪費であると共に、破棄するための処理費用も膨大に成っている。【解決手段】  本考案は、多数枚並置した下面板材１と、下面板材１と直交する方向の両側端と中央に固定したパレット用スペーサー材２と、パレット用スペーサー材２と直交する方向に多数枚固定した上面板材３とで成形されたフォークリフト用パレットであって、残材であるコンクリートパネルを解体して一定長さの板部材Ａで形成した下面板材１と上面板材３と、残材であるコンクリートパネルを解体して一定長さの複数枚積層させた板部材Ａで形成したパレット用スペーサー材２と、を備えたものである。【選択図】  図１
0003114820.tif 000002
【実用新案登録請求の範囲】
【請求項１】
若干巾の間隔を有して多数枚並置した下面板材と、該多数枚の下面板材と直交する方向の両側端と中央に固定したフォークリフトのフォークの厚さより嵩高にしたパレット用スペーサー材と、該パレット用スペーサー材と直交する方向に若干巾の間隔を有して多数枚固定した上面板材とで略扁平箱状に成形されたフォークリフト用パレットであって、コンクリート構造物を形設するときに用いた残材であるコンクリートパネルを解体して一定長さに切り揃えた板部材で形成した前記多数枚の下面板材と前記多数枚の上面板材と、コンクリート構造物を形設するときに用いた残材であるコンクリートパネルを解体して一定長さに切り揃えると共に複数枚積層させた板部材で形成した前記パレット用スペーサー材と、を備えたことを特徴とするフォークリフト用パレット。
【考案の詳細な説明】
【技術分野】
【０００１】  本考案は、フォークリフトで荷物を移動させる時に用いるフォークリフト用パレットに関するものであり、更に詳細には、コンクリート構造物を形設するときに用いた残材であるコンクリートパネルを解体した板部材を用いたフォークリフト用パレットに関するものである。
【背景技術】
【０００２】  従来、コンクリートパネルはコンクリート構造物を形設するときに大量に枠材として用いられており、コンクリート構造物を形設した後には取り外しており、取り外した後のコンクリートパネルにはコンクリートの付着や固定するための金属が用いられているためリサイクル利用が画策されていても利用価値が無く、殆どが廃材として破棄されている現状であり、貴重な自然資源の浪費であると共に、破棄するための処理費用も膨大に成っている現状である。【０００３】  一方、フォークリフト用パレットは物流の拡大と共に需要量も増加の一途を辿っており、比較的低コストの南洋材やプラスチックで形成されたものも市場に出ているが、強度の問題や壊れて使用できなく成ったものの廃棄の問題等が発生している現状である。【０００４】  例えば、廃材をリサイクルしたものとして、家屋の解体で発生する廃材を捩り破砕し、コンクリートで固めて作った建築資材、土木資材用パルコンパネル（特許文献１参照）や、また、廃材を利用したフォークリフト用パレットとして、パレット構造体としてジュース缶等の多数の空き缶２を用い、該空き缶群を直立して配置し、その上部缶端面で荷受け板たる金属製の上板１を支持する構成としたもの（特許文献２参照）や、木材廃棄物を原料とする絶縁材またはパレット用厚板の製造方法は、製材工場廃棄物、木材パレット再利用の廃棄物、製紙工場から出た木材パルプ、あらゆる塊状化木材廃棄物やメラミン加工された木材廃棄物を含むスクラップ工場廃棄物を含む木材廃棄物または木工副産物を粉砕した後に使用し、これらの木材廃棄物とセメント及び石膏を混ぜ合わせ、その混合物に水を加え、さらに、出来上がった混合物の鋳造と、短い時間を経過した後に完成品の型外しを行ない、絶縁材については、木材廃棄物が、混合物の中で、その体積のおよそ６０から８０％の割合で、パレット用厚板については、３０から６０％の割合で使用されるもの（特許文献３参照）等が先に開示されている。
【特許文献１】特開２００１−６４０５１号公報
【特許文献２】特開平８−５３１３２号公報
【特許文献３】特開平１１−１５７９０１号公報
【考案の開示】
【考案が解決しようとする課題】
【０００５】  然し乍ら、従来、開示されている特許文献１では、家屋の解体で発生する廃材を利用するものであるが、捩り破砕するためには大型の装置と広い場所等を必要とし、更に、コンクリートで固めて作った建築資材、土木資材用パルコンパネルは再度破棄するときには課題を有するものであり、更には、特許文献２では、パレット構造体としてジュース缶等の空き缶２を用いているものであるが、空き缶は垂直方向の荷重にはある程度強度があるものの、斜め方向や横方向から衝撃を受けた場合強度に課題を有するものであり、また、特許文献３に記載のものでは、塊状化木材廃棄物を粉砕して、セメント及び石膏を混ぜ合わせるものであり、特許文献１と同様に、木材を破砕するためには大型の装置と広い場所等を必要とし初期段階でそれなりの投資を必要とするものである。
【課題を解決するための手段】
【０００６】  本考案は、前述の課題に鑑み、鋭意研鑽の結果、若干巾の間隔を有して多数枚並置した下面板材と、多数枚の下面板材と直交する方向の両側端と中央に固定したパレット用スペーサー材と、パレット用スペーサー材と直交する方向に若干巾の間隔を有して多数枚固定した上面板材とで成形されたフォークリフト用パレットであって、残材であるコンクリートパネルを解体して一定長さに切り揃えた板部材で形成した多数枚の下面板材と多数枚の上面板材と、残材であるコンクリートパネルを解体して一定長さに切り揃えると共に複数枚積層させた板部材で形成したパレット用スペーサー材と、を備えたものである。
【考案の効果】
【０００７】  本考案のフォークリフト用パレットは、前述の構成により、コンクリート構造物を形設するときにコンクリートを流入させるために用いたコンクリートパネルには乾燥したコンクリートの付着や組み立てるときに使用した金属の釘等が用いられているためリサイクル利用ができなく、廃材として破棄することが一般的に行われているが、当該コンクリートパネルを板部材と桟部材とに解体して、桟部材は再びコンクリートパネルの桟体として利用すると共に、板部材は一定長さに切り揃えてフォークリフト用パレットにリサイクルするもので、天然資源の有効利用と共に廉価に提供できるものであり、また、コンクリートパネルの解体は地域の高齢者等の力を借りての手作業となるため雇用の拡大にも寄与するものであり、画期的で実用性の高い考案である。
【考案を実施するための最良の形態】
【０００８】  本考案は、フォークリフトで荷物を移動させる時に用いるフォークリフト用パレットに関するものであり、更に詳細には、コンクリート構造物を形設するときに用いた残材であるコンクリートパネルを解体した板部材を用いたフォークリフト用パレットに関するものであり、若干巾の間隔を有して多数枚並置した下面板材１と、該多数枚の下面板材１と直交する方向の両側端と中央に固定したフォークリフトのフォークの厚さより嵩高にしたパレット用スペーサー材２と、該パレット用スペーサー材２と直交する方向に若干巾の間隔を有して多数枚固定した上面板材３とで略扁平箱状に成形されたフォークリフト用パレットであって、コンクリート構造物を形設するときに用いた残材であるコンクリートパネルを解体して一定長さに切り揃えた板部材Ａで形成した前記多数枚の下面板材１と前記多数枚の上面板材３と、コンクリート構造物を形設するときに用いた残材であるコンクリートパネルを解体して一定長さに切り揃えると共に複数枚積層させた板部材Ａで形成した前記パレット用スペーサー材２と、を備えたことを特徴とするものである。
【実施例】
【０００９】  以下、本考案のフォークリフト用パレットの実施例の図面によって具体的に説明すると、図１は本考案のフォークリフト用パレットの実施例の斜視図であり、図２は本考案のフォークリフト用パレットの実施例の分解斜視図であり、図３は汎用されているコンクリートパネルの斜視図である。【００１０】  即ち、周知のように、図３に図示したようなコンクリートパネルはコンクリート構造物を形設するときに流動状の生コンクリートを流入させるためにその枠材として必須のものであり、生コンクリートが固化してコンクリート構造物を形設した後は取り外すものであるが、取り外したコンクリートパネルはまとめて破棄されているのが実情である。【００１１】  そして、本考案は破棄される前述の残材としてのコンクリートパネルを地域の高齢者等の力を借りて手作業により、板部材Ａと桟部材Ｂとに解体するもので、板部材Ａは一定寸法に切り揃え、桟部材Ｂはコンクリート等の付着が少なくコンクリートパネルの桟体として再利用できるものであり、切れ端等は廃材として処理するものである。る。【００１２】  一方、フォークリフト用パレットは下面板材１と上面板材３とを夫々一定巾の間隔を有して多数枚並設して、下面板材１と上面板材３との間の直交する方向の両側端と中央にフォークリフトのフォークを挿通させるためにスペースを形成するために前記フォークの厚みより嵩高とするパレット用スペーサー材２を介装して対面する２つの面が開口した略扁平箱状に形成されているものである。【００１３】  次に、本考案のフォークリフト用パレットの多数枚の下面板材１は、コンクリート構造物を形設するときに用いた残材であるコンクリートパネルを解体した板部材Ａを一定長さに切り揃えて若干巾の間隔を有して多数枚並置したものである。【００１４】  次いで、パレット用スペーサー材２はコンクリート構造物を形設するときに用いた残材であるコンクリートパネルを解体した板部材Ａを一定長さに切り揃えると共に複数枚積層させて釘等の固定具や接着剤で固定又は貼着したもので、フォークリフトのフォークの厚さより嵩高として、前記下面板材１の直交方向の両側端と中央とに釘等の固定具や接着剤で固定又は貼着したものである。【００１５】  更には、上面板材３はコンクリート構造物を形設するときに用いた残材であるコンクリートパネルを解体した板部材Ａを一定長さに切り揃えた多数枚の板部材Ａを若干巾の間隔を有して前記パレット用スペーサー材２と直交する方向に並設して釘等の固定具や接着剤で固定又は貼着したものである。
【産業上の利用可能性】
【００１６】  本考案のフォークリフト用パレットは、残材としてリサイクルし切れ端等は廃材として破棄するもので、残材としてのコンクリートパネルを手作業により板部材と桟部材とに解体して、桟部材は再びコンクリートパネルの桟体として利用すると共に、板部材は一定長さに切り揃えてフォークリフト用パレットにリサイクルするもので、天然資源の有効利用と共に廉価に提供できるものであり、また、コンクリートパネルの解体又はフォークリフト用パレットの組立は地域の高齢者等の力を借りての手作業となるため雇用の拡大にも寄与するものである。
【図面の簡単な説明】
【００１７】
【図１】  図１は本考案のフォークリフト用パレットの実施例の斜視図である。
【図２】  図２は本考案のフォークリフト用パレットの実施例の分解斜視図である。
【図３】  図３は汎用されているコンクリートパネルの斜視図である。
【符号の説明】
【００１８】１      下面板材
２      パレット用スペーサー材
３      上面板材
Ａ      板部材
Ｂ      桟部材
【図１】
0003114820.tif 000003
【図２】
0003114820.tif 000004
【図３】
0003114820.tif 000005